(57)【要約】【課題】水中ポンプ装置のケーブルの上げ下げを容易にでき、かつケーブルがコラムの上端に接触することを防止できるケーブル支持装置を提供する。【解決手段】ケーブル支持装置３０は、コラム２の上端２ａに着脱可能に設置される支持台３３と、ケーブル２０を挟むための第１ケーブルガイド滑車５１および第２ケーブルガイド滑車５２と、第１ケーブルガイド滑車５１および第２ケーブルガイド滑車５２を回転可能に支持し、かつ支持台３３に連結された滑車支持部材５５を備える。【選択図】図４
2019193428.tif 000002
【特許請求の範囲】
【請求項１】
コラム内に配置された水中ポンプ装置から延びるケーブルを支持するためのケーブル支持装置であって、
前記コラムの上端に着脱可能に設置される支持台と、
前記ケーブルを挟むための第１ケーブルガイド滑車および第２ケーブルガイド滑車と、
前記第１ケーブルガイド滑車および前記第２ケーブルガイド滑車を回転可能に支持し、かつ前記支持台に連結された滑車支持部材を備えたケーブル支持装置。
【請求項２】
前記第１ケーブルガイド滑車が一方向にのみ回転することを許容し、反対方向に回転することを防止するラチェットをさらに備えた、請求項１に記載のケーブル支持装置。
【請求項３】
前記ラチェットは、前記第１ケーブルガイド滑車の回転が許容される方向を切り替えることできる双方向型ラチェットである、請求項２に記載のケーブル支持装置。
【請求項４】
前記滑車支持部材は、前記第１ケーブルガイド滑車と前記第２ケーブルガイド滑車との間の距離を調節する位置調節機構を有している、請求項１乃至３のいずれか一項に記載のケーブル支持装置。
【請求項５】
前記滑車支持部材は、前記第１ケーブルガイド滑車および前記第２ケーブルガイド滑車の両側に配置された第１滑車支持部材および第２滑車支持部材を含み、
前記第１支持部材は、
前記第１ケーブルガイド滑車を回転可能に支持する第１ベース部材と、
前記第２ケーブルガイド滑車を回転可能に支持する第１可動部材と、
前記第１ベース部材と前記第１可動部材を回転可能に連結するヒンジを備え、
前記第２支持部材は、
前記第１ケーブルガイド滑車を回転可能に支持する第２ベース部材と、
前記第２ケーブルガイド滑車を回転可能に支持する第２可動部材と、
前記第２可動部材を前記第２ベース部材に締結する締結機構を備えた、請求項１乃至４のいずれか一項に記載のケーブル支持装置。
【請求項６】
前記滑車支持部材は、前記支持台に回転可能に連結されている、請求項１乃至５のいずれか一項に記載のケーブル支持装置。
【請求項７】
前記支持台は、該支持台が前記コラムの上端に沿って移動することを可能とする複数のローラーを備えている、請求項１乃至６のいずれか一項に記載のケーブル支持装置。
【請求項８】
前記複数のローラーは、前記コラムの前記上端の上面に接触する第１ローラーと、前記コラムの内周面に接触する第２ローラーを少なくとも備えている、請求項７に記載のケーブル支持装置。
【請求項９】
前記支持台は、前記複数のローラーの回転を防止するローラーロック機構をさらに備えている、請求項７または８に記載のケーブル支持装置。
【請求項１０】
前記第１ケーブルガイド滑車の回転軸は、前記滑車支持部材を貫通して延びており、前記回転軸の端部は多角形の断面を有している、請求項１乃至９のいずれか一項に記載のケーブル支持装置。
【請求項１１】
コラム内に配置された水中ポンプ装置から延びるケーブルを支持する方法であって、
請求項１乃至１０のいずれか一項に記載のケーブル支持装置の支持台を前記コラムの上端に設置し、
前記ケーブル支持装置の第１ケーブルガイド滑車および第２ケーブルガイド滑車の間に前記ケーブルを挟むことで、前記ケーブルを支持する方法。
【発明の詳細な説明】
【技術分野】
【０００１】
本発明は、ポンプ設備に使用されるケーブル支持装置に関し、特に、コラム内に配置された水中ポンプ装置から延びるケーブルを支持するためのケーブル支持装置に関する。また、本発明は、そのようなケーブル支持装置を用いて、水中ポンプ装置から延びるケーブルを支持する方法に関する。
【背景技術】
【０００２】
図１１は、水中ポンプ装置を備えた従来のポンプ設備の一例を示す模式図である。図１１に示すように、水中ポンプ装置５００は、水槽５１０に設置されたコラム５０１内に設置される。水中ポンプ装置５００には、電力や制御信号などを送るための複数のケーブル５０３が接続されている。これらのケーブル５０３は、コラム５０１の外に配置された支持金具５０８によって保持されており、ケーブル５０３は支持金具５０８を経由してコラム５０１の内部に延びている。
【０００３】
コラム５０１の側壁には、吐出管５０５が接続されている。水中ポンプ装置５００の吸込口は、コラム５０１の底部に形成された図示しない開口に接続されている。水中ポンプ装置５００が運転されると、水槽５１０内の液体は水中ポンプ装置５００に吸い込まれる。水中ポンプ装置５００から吐き出された液体は、コラム５０１内を上方に流れ、さらに吐出管５０５に流入する。このようにして、水槽５１０内の液体は水中ポンプ装置５００によって汲み上げられる。
【先行技術文献】
【特許文献】
【０００４】
【特許文献１】特開２００１−１７７９６３号公報
【特許文献２】実公平１−１０４８０号公報
【発明の概要】
【発明が解決しようとする課題】
【０００５】
水中ポンプ装置５００のメンテナンスまたは交換をするときは、水中ポンプ装置５００を上げ下ろしする必要があり、同時にケーブル５０３も上げ下ろしされる。具体的には、ケーブル５０３を支持金具５０８から取り外し、水中ポンプ装置５００とともにケーブル５０３を上げ下ろしする。しかしながら、ケーブル５０３は複数あり、複数人による作業が必要になる。特に、ケーブル５０３の数や重量によってはより多くの人を要する場合もある。また、ケーブル５０３がコラム５０１の上端に擦り付けられると、ケーブル５０３の被膜が傷つき、ケーブル５０３の電気的絶縁が損なわれるおそれがある。
【０００６】
ケーブル５０２が長くて重い場合は、重機により水中ポンプ装置５００とともにケーブル５０３をコラム５０１から引き上げることも考えられる。しかしながら、ケーブル５０３の一部がコラム５０１内で引っ掛かったときに、ケーブル５０３の破断や、予想外の事故が起こるおそれがある。
【０００７】
そこで、本発明は、水中ポンプ装置のケーブルの上げ下げを容易にでき、かつケーブルがコラムの上端に接触することを防止できるケーブル支持装置を提供する。また、本発明は、そのようなケーブル支持装置を用いて、水中ポンプ装置から延びるケーブルを支持する方法を提供する。
【課題を解決するための手段】
【０００８】
一態様では、コラム内に配置された水中ポンプ装置から延びるケーブルを支持するためのケーブル支持装置であって、前記コラムの上端に着脱可能に設置される支持台と、前記ケーブルを挟むための第１ケーブルガイド滑車および第２ケーブルガイド滑車と、前記第１ケーブルガイド滑車および前記第２ケーブルガイド滑車を回転可能に支持し、かつ前記支持台に連結された滑車支持部材を備えたケーブル支持装置が提供される。
【０００９】
一態様では、前記第１ケーブルガイド滑車が一方向にのみ回転することを許容し、反対方向に回転することを防止するラチェットをさらに備える。
一態様では、前記ラチェットは、前記第１ケーブルガイド滑車の回転が許容される方向を切り替えることできる双方向型ラチェットである。
一態様では、前記滑車支持部材は、前記第１ケーブルガイド滑車と前記第２ケーブルガイド滑車との間の距離を調節する位置調節機構を有している。
【００１０】
一態様では、前記滑車支持部材は、前記第１ケーブルガイド滑車および前記第２ケーブルガイド滑車の両側に配置された第１滑車支持部材および第２滑車支持部材を含み、前記第１支持部材は、前記第１ケーブルガイド滑車を回転可能に支持する第１ベース部材と、前記第２ケーブルガイド滑車を回転可能に支持する第１可動部材と、前記第１ベース部材と前記第１可動部材を回転可能に連結するヒンジを備え、前記第２支持部材は、前記第１ケーブルガイド滑車を回転可能に支持する第２ベース部材と、前記第２ケーブルガイド滑車を回転可能に支持する第２可動部材と、前記第２可動部材を前記第２ベース部材に締結する締結機構を備える。
一態様では、前記滑車支持部材は、前記支持台に回転可能に連結されている。
【００１１】
一態様では、前記支持台は、該支持台が前記コラムの上端に沿って移動することを可能とする複数のローラーを備えている。
一態様では、前記複数のローラーは、前記コラムの前記上端の上面に接触する第１ローラーと、前記コラムの内周面に接触する第２ローラーを少なくとも備えている。
一態様では、前記支持台は、前記複数のローラーの回転を防止するローラーロック機構をさらに備えている。
一態様では、前記第１ケーブルガイド滑車の回転軸は、前記滑車支持部材を貫通して延びており、前記回転軸の端部は多角形の断面を有している。
【００１２】
一態様では、コラム内に配置された水中ポンプ装置から延びるケーブルを支持する方法であって、上記ケーブル支持装置の支持台を前記コラムの上端に設置し、前記ケーブル支持装置の第１ケーブルガイド滑車および第２ケーブルガイド滑車の間に前記ケーブルを挟むことで、前記ケーブルを支持する方法が提供される。
【発明の効果】
【００１３】
本発明によれば、ケーブルを第１ケーブルガイド滑車と第２ケーブルガイド滑車との間に挟むことができるので、ケーブルはコラムの上端には接触しない。したがって、ケーブルの上げ下ろしの際に、ケーブルがコラムとの接触により傷つくことが防止される。また、ケーブルは、第１ケーブルガイド滑車および第２ケーブルガイド滑車によって支持された状態で、コラムから引き上げる、またはコラム内に下ろすことができる。したがって、作業員の負荷が大幅に減り、作業員は安全に作業を実施することができる。
【図面の簡単な説明】
【００１４】
【図１】ポンプ設備の一実施形態を示す模式図である。
【図２】図１に示す蓋がコラムから外された状態を示す図である。
【図３】ケーブル支持装置の正面図である。
【図４】ケーブル支持装置の側面図である。
【図５】ケーブルガイド組立体の拡大正面図である。
【図６】ケーブルガイド組立体の拡大側面図である。
【図７】ケーブルガイド組立体の拡大側面図である。
【図８】第１ケーブルガイド滑車をハンドルで回転させている様子を示す図である。
【図９】第１ケーブルガイド滑車を電動ドライバで回転させている様子を示す図である。
【図１０】ケーブル支持装置の他の実施形態を示す側面図である。
【図１１】従来のポンプ設備を示す図である。
【発明を実施するための形態】
【００１５】
以下、本発明の実施形態について図面を参照して説明する。
次に、ポンプ設備について説明する。図１は、ポンプ設備の一実施形態を示す模式図である。図１に示すように、ポンプ設備は、吸込水槽１に設置されたコラム２と、コラム２内に設置された水中ポンプ装置５とを備えている。コラム２は、吸込水槽１の上壁に形成された設置孔７を通って吸込水槽１の上方から吸込水槽１の内部に延びている。コラム２の側壁には吐出管１０が接続されている。コラム２の上端２ａには蓋８が着脱可能に取り付けられている。コラム２の上端２ａは、図示しないボルトが貫通するフランジ部２ｂを有しており、これらボルトによって蓋８がコラム２の上端２ａに固定されている。ボルトを外すと、蓋８をコラム２の上端２ａから取り外すことができる。
【００１６】
水中ポンプ装置５は、吸込ベルマウス１２を備えた立軸ポンプである。水中ポンプ装置５は、その吸込ベルマウス１２がコラム２の底部から下方に突出した状態で、コラム２内に設置される。一実施形態では、水中ポンプ装置５の全体がコラム２内に配置されてもよい。水中ポンプ装置５は、電動機１５と、電動機１５の駆動軸に固定された羽根車１７を備えている。羽根車１７は吸込ベルマウス１２内に配置されている。
【００１７】
水中ポンプ装置５には、電力や制御信号などを送るための複数のケーブル２０が接続されている。これらのケーブル２０は、コラム２の上端２ａに取り付けられた蓋８を通ってコラム２の内部に延びている。ケーブル２０と蓋８との間の隙間を封止するためのシール２５が蓋８に設けられている。
【００１８】
羽根車１７が電動機１５によって回転されると、吸込水槽１内の液体は水中ポンプ装置５に吸い込まれる。水中ポンプ装置５から吐き出された液体は、コラム２内を上方に流れ、さらに吐出管１０に流入する。このようにして、吸込水槽１内の液体は水中ポンプ装置５によって汲み上げられる。
【００１９】
水中ポンプ装置５の交換またはメンテナンスを実施するときは、蓋８がコラム２から外され、図２に示すように、コラム２の上端２ａにケーブル支持装置３０が取り付けられる。ケーブル２０は、その長手方向に移動可能な状態で、ケーブル支持装置３０によって支持されている。以下、ケーブル支持装置３０について詳細に説明する。
【００２０】
図３は、ケーブル支持装置３０の正面図であり、図４は、ケーブル支持装置３０の側面図である。ケーブル支持装置３０は、コラム２の上端２ａに着脱可能に設置される支持台３３と、支持台３３に回転可能に連結された複数の（本実施形態では３つの）ケーブルガイド組立体５０を備えている。３つのケーブル２０は、３つのケーブルガイド組立体５０にそれぞれ支持されている。これらケーブルガイド組立体５０は同じ構成を有している。各ケーブルガイド組立体５０は、各ケーブル２０を挟むための第１ケーブルガイド滑車５１および第２ケーブルガイド滑車５２と、これらケーブルガイド滑車５１，５２を回転可能に支持する滑車支持部材５５を有している。また、各ケーブルガイド組立体５０は、支持台３３に連結された旋回軸６０を有している。各ケーブルガイド組立体５０は、旋回軸６０を中心に回転可能である。
【００２１】
支持台３３は、支持台３３がコラム２の上端２ａに沿って移動することを可能とする複数のローラー３５，３６，３７を備えている。これらローラー３５，３６，３７は、コラム２の上端２を囲むように配置されている。より具体的には、複数の第１ローラー３５はコラム２の上側に位置し、複数の第２ローラー３６はコラム２の内側に位置し、複数の第３ローラー３７はコラム２の外側に位置する。図４には１つの第１ローラー３５、１つの第２ローラー３６、１つの第３ローラー３７のみが描かれている。
【００２２】
第１ローラー３５はコラム２の上端２ａの上面に接触しており、第２ローラー３６はコラム２の内周面に接触しており、第３ローラー３７はコラム２のフランジ部２ｂの下面に接触している。支持台３３は、コラム２の外周面に接触する１つまたは複数の第４ローラーをさらに備えてもよい。支持台３３は、第１ローラー３５、第２ローラー３６、および第３ローラー３７のみでコラム２に接触している。したがって、支持台３３は、コラム２の上端２ａ（一般的には環状）に沿って移動することが可能である。
【００２３】
複数の第１ローラー３５は、コラム２の周方向に沿って配列されている。同様に、複数の第２ローラー３６および複数の第３ローラー３７も、コラム２の周方向に沿って配列されている。一実施形態では、１つの第２ローラー３６のみが設けられてもよく、または１つの第３ローラー３７のみが設けられてもよい。
【００２４】
支持台３３は、第１ローラー３５、第２ローラー３６、および第３ローラー３７の回転をそれぞれ防止する複数のローラーロック機構４０，４１，４２をさらに備えている。支持台３３をコラム２の上端２ａ上の所望の位置に移動させた後、ローラーロック機構４０，４１，４２を作動させることにより、第１ローラー３５、第２ローラー３６、および第３ローラー３７の回転をロックする。これにより、支持台３３の位置を保持することができる。ローラーロック機構４０，４１，４２を解除することで、支持台３３をさらに移動させることができる。
【００２５】
支持台３３は、基部３３Ａと、この基部３３Ａに回転可能に連結されたストッパ３３Ｂとを備えている。基部３３Ａは、コラム２の上端２ａの上面およびコラム２の内周面に対向する内面を有し、ストッパ３３Ｂは、コラム２の外周面に対向する内面を有している。第１ローラー３５および第２ローラー３６は、基部３３Ａに回転可能に保持され、第３ローラー３７はストッパ３３Ｂに回転可能に保持されている。ストッパ３３Ｂは、接続軸４６によって基部３３Ａに回転可能に連結されている。接続軸４６はコラム２の上端２ａの上面と平行に延びており、ストッパ３３Ｂおよび第３ローラー３７は、図３の矢印で示すように、コラム２の外周面に近づく方法および遠ざかる方向に移動することができる。
【００２６】
支持台３３は、ストッパ３３Ｂの回転をロックするストッパロック機構４５を備えている。このストッパロック機構４５は、第３ローラー３７がコラム２の上端２ａを構成するフランジ部２ｂの下面に接触した状態で、ストッパ３３Ｂの位置を保持することが可能に構成されている。ストッパロック機構４５には、ラチェット、ボルトおよびナットの組み合わせ、などの公知の装置を用いることができる。
【００２７】
支持台３３をコラム２の上端２ａに設置するときは、まず、ストッパロック機構４５を解除し、図４の点線で示すように、第３ローラー３７が第１ローラー３５および第２ローラー３６から離れる方向にストッパ３３Ｂを回転させる。第１ローラー３５および第２ローラー３６をコラム２に接触させた状態で、ストッパ３３Ｂを逆方向に回転させ、第３ローラー３７をコラム２のフランジ部２ｂの下面に接触させる。さらに、ストッパロック機構４５を作動させてストッパ３３Ｂおよび第３ローラー３７の位置を固定する。さらに、ローラーロック機構４０，４１，４２により、第１ローラー３５、第２ローラー３６、および第３ローラー３７の回転をロックする。このようにして、支持台３３がコラム２の上端２ａに固定される。コラム２の上端２ａを構成するフランジ部２ｂは、第１ローラー３５および第３ローラー３７により挟まれており、支持台３３をコラム２に強固に固定することができる。
【００２８】
図５は、ケーブルガイド組立体５０の拡大正面図であり、図６は、ケーブルガイド組立体５０の拡大側面図である。ケーブルガイド組立体５０は、ケーブル２０を挟むための第１ケーブルガイド滑車５１および第２ケーブルガイド滑車５２と、第１ケーブルガイド滑車５１および第２ケーブルガイド滑車５２を回転可能に支持する滑車支持部材５５を備えている。本実施形態では、第１ケーブルガイド滑車５１および第２ケーブルガイド滑車５２は、鉛直方向に沿って配列されており、第１ケーブルガイド滑車５１は、第２ケーブルガイド滑車５２の下方に配置されている。第１ケーブルガイド滑車５１および第２ケーブルガイド滑車５２の軸心は、互いに平行である。
【００２９】
滑車支持部材５５は旋回軸６０に接続されており、この旋回軸６０は支持台３３に接続されている。旋回軸６０は、滑車支持部材５５および支持台３３の少なくとも一方に対して相対的に回転可能であり、これにより、滑車支持部材５５、第１ケーブルガイド滑車５１、および第２ケーブルガイド滑車５２は、旋回軸６０を中心として支持台３３に対して相対的に回転可能となっている。
【００３０】
ケーブル２０は、回転可能な第１ケーブルガイド滑車５１と第２ケーブルガイド滑車５２との間に挟まれる。したがって、ケーブル２０は、第１ケーブルガイド滑車５１および第２ケーブルガイド滑車５２に転がり接触する。本実施形態では、第１ケーブルガイド滑車５１および第２ケーブルガイド滑車５２は、同じ形状および同じ大きさを有しているが、異なる形状および／または異なる形状を有してもよい。第１ケーブルガイド滑車５１の両側は、ケーブル２０の位置を保持するためのフランジ部５１ａ，５１ａから構成されている。同様に、第２ケーブルガイド滑車５２の両側は、ケーブル２０の位置を保持するためのフランジ部５２ａ，５２ａから構成されている。
【００３１】
滑車支持部材５５は、第１ケーブルガイド滑車５１および第２ケーブルガイド滑車５２の両側に配置された第１滑車支持部材６１および第２滑車支持部材６２を備えている。第１滑車支持部材６１は、第１ケーブルガイド滑車５１を回転可能に支持する第１ベース部材６１Ａと、第２ケーブルガイド滑車５２を回転可能に支持する第１可動部材６１Ｂと、第１ベース部材６１Ａと第１可動部材６１Ｂとを回転可能に連結するヒンジ６４を備えている。第１ベース部材６１Ａは、第１可動部材６１Ｂの下方に配置されている。
【００３２】
第２滑車支持部材６２は、第１ケーブルガイド滑車５１を回転可能に支持する第２ベース部材６２Ａと、第２ケーブルガイド滑車５２を回転可能に支持する第２可動部材６２Ｂと、第２可動部材６２Ｂを第２ベース部材６２Ａに締結する締結機構としてのパッチン錠６７を備えている。第２ベース部材６２Ａは、第２可動部材６２Ｂの下方に配置されている。第１ケーブルガイド滑車５１の中心軸５３は、第１ベース部材６１Ａおよび第２ベース部材６２Ａによって回転可能に支持されており、第２ケーブルガイド滑車５２の中心軸５４は、第１可動部材６１Ｂおよび第２可動部材６２Ｂによって回転可能に支持されている。
【００３３】
第１可動部材６１Ｂは、ヒンジ６４に接続された第１ねじ軸７０と、第１ねじ軸７０が貫通する第１軸受ブロック７１と、第１ねじ軸７０に螺合された複数の第１ナット７２を備えている。第１軸受ブロック７１は、第１ナット７２の間に挟まれている。第１軸受ブロック７１は図示しない軸受を有しており、第２ケーブルガイド滑車５２の中心軸５４は第１軸受ブロック７１に回転可能に支持されている。
【００３４】
第２可動部材６２Ｂは、第２ねじ軸７５と、第２ねじ軸７５を保持するねじホルダ７６と、第２ねじ軸７５が貫通する第２軸受ブロック７７と、第２ねじ軸７５に螺合された複数の第２ナット７８を備えている。第２軸受ブロック７７は、第２ナット７８の間に挟まれている。第２軸受ブロック７７は図示しない軸受を有しており、第２ケーブルガイド滑車５２の中心軸５４は第２軸受ブロック７７に回転可能に支持されている。
【００３５】
第１ナット７２を回転させることにより、第１ナット７２の第１ねじ軸７０に対する相対的な位置を変えることができる。同様に、第２ナット７８を回転させることにより、第２ナット７８の第２ねじ軸７５に対する相対的な位置を変えることができる。第１ナット７２および第２ナット７８の位置の変化に伴い、第１軸受ブロック７１と第２軸受ブロック７７に支持された第２ケーブルガイド滑車５２の位置が変化する。このように、第１ナット７２および第２ナット７８を回転させることにより、第１ケーブルガイド滑車５１に対する第２ケーブルガイド滑車５２の位置（すなわち、第１ケーブルガイド滑車５１と第２ケーブルガイド滑車５２との間の距離）を調節することができる。本実施形態では、第１ねじ軸７０、第１ナット７２、第２ねじ軸７５、および第２ナット７８は、第１ケーブルガイド滑車５１と第２ケーブルガイド滑車５２との間の距離を調節する位置調節機構を構成する。
【００３６】
第１ケーブルガイド滑車５１と第２ケーブルガイド滑車５２との間の距離は、ケーブル２０の直径に基づいて決定される。本実施形態によれば、第１ケーブルガイド滑車５１および第２ケーブルガイド滑車５２は、直径の異なる種々のケーブルを支持することが可能である。第１ケーブルガイド滑車５１と第２ケーブルガイド滑車５２との間に挟まれたケーブル２０は、第１ケーブルガイド滑車５１および第２ケーブルガイド滑車５２によって支持されつつ、ケーブル２０はその長手方向に移動することが許容される。
【００３７】
パッチン錠６７は、第２可動部材６２Ｂを第２ベース部材６２Ａに締結し、かつ第２可動部材６２Ｂが第２ベース部材６２Ａから離れることを可能とするラッチの一種である。パッチン錠６７を締めると、第２可動部材６２Ｂは第２ベース部材６２Ａに締結され、第１ケーブルガイド滑車５１と第２ケーブルガイド滑車５２との間にケーブル２０が挟まれる。パッチン錠６７を解放すると、第２可動部材６２Ｂは第２ベース部材６２Ａから離れる。結果として、図７に示すように、第２ケーブルガイド滑車５２、第１可動部材６１Ｂ、および第２可動部材６２Ｂは、ヒンジ６４を中心に回転することができる。パッチン錠６７が解放されているときに、ケーブル２０を第１ケーブルガイド滑車５１上に設置し、かつ第１ケーブルガイド滑車５１から取り出すことができる。
【００３８】
ケーブル２０をケーブルガイド組立体５０にセットするときは、パッチン錠６７を解放し、第２ケーブルガイド滑車５２を第１ケーブルガイド滑車５１から離れる方向に移動させる（図７参照）。ケーブル２０を第１ケーブルガイド滑車５１の上に乗せ、さらに、第１ケーブルガイド滑車５１と第２ケーブルガイド滑車５２との間にケーブル２０を挟んだ状態でパッチン錠６７を締める。これにより、ケーブル２０は、第１ケーブルガイド滑車５１および第２ケーブルガイド滑車５２によって支持される。
【００３９】
ケーブル２０は、第１ケーブルガイド滑車５１と第２ケーブルガイド滑車５２との間に挟まれているので、コラム２の上端２ａには接触しない。したがって、ケーブル２０の上げ下ろしの際に、ケーブル２０がコラム２との接触により傷つくことが防止される。また、ケーブル２０は、第１ケーブルガイド滑車５１および第２ケーブルガイド滑車５２によって支持された状態で、コラム２から引き上げる、またはコラム２内に下ろすことができる。したがって、作業員の負荷が大幅に減り、作業員は安全に作業を実施することができる。
【００４０】
第１ケーブルガイド滑車５１および第２ケーブルガイド滑車５２は、ケーブル２０の向きに従って旋回軸６０を中心に旋回するので、ケーブル２０が第１ケーブルガイド滑車５１および第２ケーブルガイド滑車５２から外れることが防止され、かつ第１ケーブルガイド滑車５１および第２ケーブルガイド滑車５２に過大な負荷が掛かることが防止される。
【００４１】
第１ケーブルガイド滑車５１の中心軸５３は、ラチェット８０に連結されている。このラチェット８０は、第１ケーブルガイド滑車５１が一方向にのみ回転することを許容し、反対方向に回転することを防止する装置である。本実施形態では、ラチェット８０は、第１ケーブルガイド滑車５１の回転が許容される方向を切り替えることできる双方向型ラチェットである。ラチェット８０は、セレクタノブ８１を有しており、セレクタノブ８１を操作することにより、第１ケーブルガイド滑車５１の回転方向を切り替えることできる。より具体的には、セレクタノブ８１を第１の位置にセットすると、第１ケーブルガイド滑車５１は時計方向にのみ回転することが許容され、反時計方向への回転が防止される。一方、セレクタノブ８１を第２の位置にセットすると、第１ケーブルガイド滑車５１は反時計方向にのみ回転することが許容され、時計方向への回転が防止される。
【００４２】
ケーブル２０をコラム２から引き上げるときは、セレクタノブ８１を操作して、ケーブル２０がコラム２内に落ち込まないように第１ケーブルガイド滑車５１の回転を制限する。このようなラチェット８０は、ケーブル２０の引き上げ作業を容易にすることができ、かつケーブル２０の落ち込みによる不測の事故を防ぐことができる。本実施形態では、下側の第１ケーブルガイド滑車５１のみにラチェット８０が設けられているが、上側の第２ケーブルガイド滑車５２にもラチェットを設けてもよい。
【００４３】
第１ケーブルガイド滑車５１の中心軸５３は、第１滑車支持部材６１を貫通して延びている。第１ケーブルガイド滑車５１の中心軸５３の端部５３ａは多角形の断面を有している。この端部５３ａは、例えば、四角形、または六角形の断面である。図８に示すように、端部５３ａに嵌合する穴を有するハンドル９０、または図９に示すように、端部５３ａに嵌合するナットソケットを有する電動ドライバ９１などにより第１ケーブルガイド滑車５１を回転させることができる。
【００４４】
図１０は、ケーブル支持装置３０の他の実施形態を示す側面図である。特に説明しない本実施形態の構成および動作は、図３乃至図９を参照して説明した上記実施形態と同じであるので、その重複する説明を省略する。
【００４５】
図１０に示す実施形態に係るケーブル支持装置３０は、１組の第１ケーブルガイド滑車５１および第２ケーブルガイド滑車５２を備えている。第１ケーブルガイド滑車５１の軸方向の長さは、第１ケーブルガイド滑車５１の直径よりも大きい。同様に、第２ケーブルガイド滑車５２の軸方向の長さは、第２ケーブルガイド滑車５２の直径よりも大きい。したがって、図１０に示すように、第１ケーブルガイド滑車５１および第２ケーブルガイド滑車５２は、複数のケーブル２０を同時に挟むことができる。なお、本実施形態では、旋回軸６０は設けられていなく、第１滑車支持部材６１および第２滑車支持部材６２は、支持台３３に固定されている。一実施形態では、上述した実施形態と同様に、旋回軸６０を設けてもよい。
【００４６】
本実施形態においても、複数のケーブル２０は、第１ケーブルガイド滑車５１と第２ケーブルガイド滑車５２との間に挟まれているので、コラム２の上端２ａには接触しない。したがって、ケーブル２０の上げ下ろしの際に、ケーブル２０がコラム２との接触により傷つくことが防止される。また、ケーブル２０は、第１ケーブルガイド滑車５１および第２ケーブルガイド滑車５２によって支持された状態で、コラム２から引き上げる、またはコラム２内に下ろすことができる。したがって、作業員の負荷が大幅に減り、作業員は安全に作業を実施することができる。
【００４７】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうる。したがって、本発明は、記載された実施形態に限定されることはなく、特許請求の範囲によって定義される技術的思想に従った最も広い範囲に解釈されるものである。
【符号の説明】
【００４８】
１      吸込水槽
２      コラム
２ａ    上端
２ｂ    フランジ部
５      水中ポンプ装置
７      設置孔
８      蓋
１０      吐出管
１２      吸込ベルマウス
１５      電動機
１７      羽根車
２０      ケーブル
２５      シール
３０      ケーブル支持装置
３３      支持台
３３Ａ    基部
３３Ｂ    ストッパ
３５，３６，３７      ローラー
４０，４１，４２      ローラーロック機構
４５      ストッパロック機構
４６      接続軸
５０      ケーブルガイド組立体
５１      第１ケーブルガイド滑車
５１ａ，５１ａ      フランジ部
５２      第２ケーブルガイド滑車
５２ａ，５２ａ      フランジ部
５３      中心軸
５３ａ    端部
５４      中心軸
５５      滑車支持部材
６０      旋回軸
６１      第１滑車支持部材
６１Ａ    第１ベース部材
６１Ｂ    第１可動部材
６２      第２滑車支持部材
６２Ａ    第２ベース部材
６２Ｂ    第２可動部材
６４      ヒンジ
６７      パッチン錠
７０      第１ねじ軸
７１      第１軸受ブロック
７２      第１ナット
７５      第２ねじ軸
７６      ねじホルダ
７７      第２軸受ブロック
７８      第２ナット
８０      ラチェット
８１      セレクタノブ
９０      ハンドル
９１      電動ドライバ
【図１】
2019193428.tif 000003
【図２】
2019193428.tif 000004
【図３】
2019193428.tif 000005
【図４】
2019193428.tif 000006
【図５】
2019193428.tif 000007
【図６】
2019193428.tif 000008
【図７】
2019193428.tif 000009
【図８】
2019193428.tif 000010
【図９】
2019193428.tif 000011
【図１０】
2019193428.tif 000012
【図１１】
2019193428.tif 000013